(57)【要約】【課題】蛍光表示管の駆動回路において、アノード駆動電圧の有無を検出してグリッド駆動電圧の供給・供給停止を自動的に設定すること。【解決手段】ＮＡＮＤ回路４５１〜４５１２は、アノード駆動電圧波形生成部４４１〜４４８と省電力設定レジスタ４０から供給されるアノード駆動電圧と省電力設定電圧に基づいて、省電力モードのときのアノード駆動電圧の有無を判別し、アノード駆動電圧が全て「０」になると「０」を出力する。そのときＡＮＤ回路４２１〜４２１２は閉じて、グリッドドライバ４３１〜４３１２、グリッドＧ１〜Ｇ１２に対するグリッド駆動電圧波形生成部５１１〜５１１２の出力（グリッド駆動電圧）の供給を停止する。【選択図】図２
2009258188.tif 000002
【特許請求の範囲】
【請求項１】
フィラメント、複数のグリッド及び複数のアノード電極群を備え、グリッドとアノード電極群は、桁毎に対向し、桁毎にグリッドとアノード電極群を走査してグリッドにグリッド駆動電圧を供給しアノード電極群のアノード電極にアノード駆動電圧を供給する蛍光表示管の駆動方法において、アノード駆動電圧検出回路は、省電力設定部の省電力設定電圧とアノード駆動電圧又は表示データを用いて省電力設定時にアノード駆動電圧又は表示データの全て「０」を検出すると、該当する桁のグリッド駆動電圧供給回路を閉じてグリッドへのグリッド駆動電圧の供給を停止することを特徴とする蛍光表示管の駆動方法。
【請求項２】
請求項１に記載の蛍光表示管の駆動方法において、前記アノード駆動電圧検出回路はＮＡＮＤ回路からなり、前記グリッド駆動電圧供給回路はＡＮＤ回路からなり、ＮＡＮＤ回路には省電力設定電圧を直接入力しアノード駆動電圧又は表示データをインバートして入力し、ＡＮＤ回路にはグリッド駆動電圧とＮＡＮＤ回路の出力を入力することを特徴とする蛍光表示管の駆動方法。
【請求項３】
フィラメント、複数のグリッド及び複数のアノード電極群を備え、グリッドとアノード電極群は、桁毎に対向し、桁毎にグリッドとアノード電極群を走査してグリッドにグリッド駆動電圧を供給しアノード電極群のアノード電極にアノード駆動電圧を供給する蛍光表示管において、省電力設定部、アノード駆動電圧検出回路及びグリッド駆動電圧供給回路を備え、アノード駆動電圧検出回路は、省電力設定部の省電力設定電圧とアノード駆動電圧又は表示データを用いて省電力設定時にアノード駆動電圧又は表示データの全て「０」を検出すると、該当する桁のグリッド駆動電圧供給回路を閉じてグリッドへのグリッド駆動電圧の供給を停止することを特徴とする蛍光表示管。
【請求項４】
請求項３に記載の蛍光表示管において、前記アノード駆動電圧検出回路はＮＡＮＤ回路からなり、前記グリッド駆動電圧供給回路はＡＮＤ回路からなり、ＮＡＮＤ回路には省電力設定電圧を直接入力しアノード駆動電圧又は表示データをインバートして入力し、ＡＮＤ回路にはグリッド駆動電圧とＮＡＮＤ回路の出力を入力することを特徴とする蛍光表示管。
【発明の詳細な説明】
【技術分野】
【０００１】
本願発明は、蛍光表示管と蛍光表示管の駆動方法に関する。
【背景技術】
【０００２】
図７、図８により、従来の蛍光表示管とその動作について説明する。
まず図７について説明する。
図７（ａ）は、一般的に用いられている蛍光表示管の駆動回路のブロック図で、Ｋ１桁〜Ｋ１２桁の表示が可能な蛍光表示管の例である。蛍光表示管は、アノード電極・グリッド群ＡＧ、電子源用のフィラメントＦを備えている。アノード電極・グリッド群ＡＧは、Ｋ１〜Ｋ１２の桁毎にアノード電極群Ａ１〜Ａ１２（図７（ｂ１））、メッシュ状のグリッドＧ１〜Ｇ１２（図７（ｂ２））を備えている。各アノード電極群Ａ１〜Ａ１２は、蛍光体を塗布したセグメント型の複数のアノード電極を備えている。アノード電極群Ａ１〜Ａ１２とグリッドＧ１〜Ｇ１２は、桁毎に対向している。したがって各桁のアノード電極群、例えばアノード電極群Ａ１の複数のアノード電極は、グリッドＧ１に対向しており、フィラメントＦからアノード電極群Ａ１の複数のアノード電極へ到達する電子は、グリッドＧ１によって制御される。即ちフィラメントＦの電子は、グリッドＧ１にグリッド駆動電圧を印加するとアノード電極へ到達し、グリッド電圧を印加しないと到達しない。
【０００３】
グリッドドライバ部２２ｇは、グリッドＧ１〜Ｇ１２をＧ１，Ｇ２，・・・，Ｇ１２の順に走査して時分割的にパルス状のグリッド駆動電圧を各グリッドに印加する。アノードドライバ部２２ａは、グリッドの走査に同期してアノード電極群Ａ１〜Ａ１２をＡ１，Ａ２，・・・，Ａ１２の順に走査して時分割的にパルス状のアノード駆動電圧をアノード電極に印加する。アノード駆動電圧は、ＣＰＵ等からなる制御部１１に格納されている表示データに対応して生成する。
フィラメントＦ、グリッドＧ１〜Ｇ１２、アノード電極群Ａ１〜Ａ１２は、図７（ｃ）のように配置されていて、フィラメントＦから放出された電子は、グリッドＧ１〜Ｇ１２により引き出され、対向するアノード電極群Ａ１〜Ａ１２を照射する。例えばグリッドＧ１にグリッド駆動電圧を印加すると、フィラメントＦから放出された電子は、アノード電極群Ａ１に到達してアノード電極群Ａ１の複数のアノード電極の内、表示データに対応して選択されたアノード電極にアノード駆動電圧が印加され、そのアノード電極の蛍光体が発光する。アノード電極群Ａ２〜Ａ１２についても同様である。
【０００４】
図８は、従来一般に行われているダイナミック駆動方式におけるグリッド駆動電圧の印加手順を説明する図で、で、図８（ａ）は、アノード電極群の構成を示し（図７（ｂ１）と同じ）、図８（ｂ）と図８（ｃ）は、グリッドＧ１〜Ｇ１２にグリッド駆動電圧を印加するときのタイミングチャートを示す。
図８（ｂ）は、通常の駆動方式のタイミングチャートで、グリッドＧ１〜Ｇ１２には、タイミングＴ１，Ｔ２，・・・、Ｔ１２の順にグリッド駆動電圧が印加され、Ｔ１〜Ｔ１２の周期で繰り返す。
図８（ｂ）の駆動方式は、例えばＫ１桁、Ｋ２桁を表示しないとき（Ｋ１桁、Ｋ２桁のアノード電極群を点灯しないとき）にも、タイミングＴ１、Ｔ２においてグリッドＧ１，Ｇ２にグリッド駆動電圧を印加するから、表示に寄与しない無駄な電力を消費することになる。
【０００５】
そこで図８（ｂ）の駆動方式における無駄な電力を低減するため、図８（ｃ）のように、タイミングＴ１、Ｔ２においてグリッドＧ１，Ｇ２に印加するグリッド駆動電圧の供給を停止する駆動方式が提案されている（特許文献１参照）。
図８（ｃ）の駆動方式は、グリッドＧ１、Ｇ２のグリッド駆動電圧の供給を停止するため、事前に図７の制御部１１のメモリ等にそのグリッド駆動電圧の供給停止を設定しておき、タイミングＴ１、Ｔ２においてグリッド駆動電圧が供給されないように構成してある。
【０００６】
【特許文献１】特開平２０００−１１９２６号公報
【発明の開示】
【発明が解決しようとする課題】
【０００７】
従来の図８（ｃ）の駆動方式は、事前に表示内容を検討して表示しない桁を選定し、その桁のグリッド駆動電圧の供給停止を図７の制御部１１に設定しなければならないから、その選定や設定の作業が面倒である。また表示内容により表示の期間中短期間だけ表示するような表示頻度の低い桁もあるが、その桁は、事前にグリッド駆動電圧の供給停止を設定できないから、その短期間以外の期間は無駄な電力を消費することになる。
本願発明は、前記問題点に鑑み、常時表示する表示頻度の高い桁や短期間だけ表示する表示頻度の低い桁が混在する表示内容であっても、表示に使用しない桁を自動的に検出してその桁の省電力設定を自動的に行なうことができる蛍光表示管及び蛍光表示管の駆動方法を提供することを目的とする。
【課題を解決するための手段】
【０００８】
本願発明は、その目的を達成するため、請求項１に記載の蛍光表示管の駆動方法は、フィラメント、複数のグリッド及び複数のアノード電極群を備え、グリッドとアノード電極群は、桁毎に対向し、桁毎にグリッドとアノード電極群を走査してグリッドにグリッド駆動電圧を供給しアノード電極群のアノード電極にアノード駆動電圧を供給する蛍光表示管の駆動方法において、アノード駆動電圧検出回路は、省電力設定部の省電力設定電圧とアノード駆動電圧又は表示データを用いて省電力設定時にアノード駆動電圧又は表示データの全て「０」を検出すると、該当する桁のグリッド駆動電圧供給回路を閉じてグリッドへのグリッド駆動電圧の供給を停止することを特徴とする。
請求項２に記載の蛍光表示管の駆動方法は、請求項１に記載の蛍光表示管の駆動方法において、前記アノード駆動電圧検出回路はＮＡＮＤ回路からなり、前記グリッド駆動電圧供給回路はＡＮＤ回路からなり、ＮＡＮＤ回路には省電力設定電圧を直接入力しアノード駆動電圧又は表示データをインバートして入力し、ＡＮＤ回路にはグリッド駆動電圧とＮＡＮＤ回路の出力を入力することを特徴とする。
請求項３に記載の蛍光表示管は、フィラメント、複数のグリッド及び複数のアノード電極群を備え、グリッドとアノード電極群は、桁毎に対向し、桁毎にグリッドとアノード電極群を走査してグリッドにグリッド駆動電圧を供給しアノード電極群のアノード電極にアノード駆動電圧を供給する蛍光表示管において、省電力設定部、アノード駆動電圧検出回路及びグリッド駆動電圧供給回路を備え、アノード駆動電圧検出回路は、省電力設定部の省電力設定電圧とアノード駆動電圧又は表示データを用いて省電力設定時にアノード駆動電圧又は表示データの全て「０」を検出すると、該当する桁のグリッド駆動電圧供給回路を閉じてグリッドへのグリッド駆動電圧の供給を停止することを特徴とする。
請求項４に記載の蛍光表示管は、請求項３に記載の蛍光表示管において、前記アノード駆動電圧検出回路はＮＡＮＤ回路からなり、前記グリッド駆動電圧供給回路はＡＮＤ回路からなり、ＮＡＮＤ回路には省電力設定電圧を直接入力しアノード駆動電圧又は表示データをインバートして入力し、ＡＮＤ回路にはグリッド駆動電圧とＮＡＮＤ回路の出力を入力することを特徴とする。
【発明の効果】
【０００９】
本願発明は、常時表示に使用する表示頻度の高い桁、短期間だけ表示に使用する表示頻度の低い桁、表示しない桁が混在するような表示内容であっても、アノード駆動電圧の有無を自動的に判別して、アノード駆動電圧が全て０の場合は、該当する桁のグリッドへのグリッド駆動電圧の供給を停止し、アノード駆動電圧が一つでも０でない場合は、該当する桁のグリッドへグリッド駆動電圧を供給する。したがって本願発明は、省電力モードか非省電力モードかを選択するだけ、省電力モードを選択したときは、表示内容に関係なくアノード駆動電圧又は表示データの有無を自動的に検出して、グリッド駆動電圧の供給、供給停止を自動的に行うから、汎用性の高い省電力設定が可能になる。
本願発明は、入出力装置の押ボタン等によって省電力モードを選択（設定）するだけで、アノード駆動電圧が検出されない桁のグリッドのグリッド駆動電圧の供給を自動的に停止するから、従来のように事前に表示内容を検討して、表示しない桁を一々確認して省電力設定を行う必要がない。したがって本願発明は、表示内容に関係なく省電力モードを簡単に設定でき、また表示内容の検討を誤って必要な桁の表示を欠落させてしまうこともない。
【００１０】
本願発明は、表示期間中短期間だけ表示する桁が含まれている場合、その桁のグリッドに短期間だけグリッド駆動電圧を供給（印加）し、その短期間以外の期間は、グリッド駆動電圧を供給（印加）しないから省電力効果が大きくなる。
本願発明は、省電力設定部にＯＮ，ＯＦＦ（１，０）を設定するだけでよいから、省力設定部は簡単になり、従来のように非表示桁の設定データを格納するメモリを必要としない。そして本願発明は、省電力設定時のアノード駆動電圧又は表示データ有無の検出にＮＡＮＤ回路を用い、グリッド駆動電圧供給回路にＡＮＤ回路を用いるから、従来の駆動回路用ＩＣにＮＡＮＤ回路とＡＮＤ回路を付加するだけでよい。したがって本発明は、蛍光表示管の駆動回路用ＩＣを安価に作製できる。
本願発明の蛍光表示管は、省電力設定の可能な駆動回路を備えているから、無駄な電力を低減できる。
【発明を実施するための最良の形態】
【００１１】
図１〜図６により本願発明の実施例を説明する。なお図１〜６に共通な部分は同じ符号を使用している。
【実施例】
【００１２】
図１は、１２桁の表示が可能な蛍光表示管のアノード電極群とグリッドの配置、及び各桁のアノード電極群のアノード電極やグリッドに接続されている配線を示す。なお図１（ａ２）は、Ｋ２〜Ｋ１２桁の各桁の７個のセグメント電極Ｓｅ１〜Ｓｅ７の配置を示す。
図１（ｂ）において、Ｋ２〜Ｋ１２桁の各桁のセグメント電極Ｓｅ１〜Ｓｅ１２は、アノード配線Ｓ１〜Ｓ７に接続され、Ｋ１桁のＲＥＣ，ＵＳＲ，ＭＰ３，２個の矢印は、夫々アノード配線Ｓ１〜Ｓ５に接続され、Ｋ５桁の「コロン」は、アノード配線Ｓ８に接続されている。図１（ｃ）において、グリッドＧ１〜Ｇ１２には、グリッド配線ｇ１〜ｇ１２が接続されている。
【００１３】
図２は、図１の蛍光表示管の駆動回路を示す。
図２において、３１は、ＣＰＵ、３２は、キーや押ボタンを備えた入力装置、３３は、ＣＰＵ３１からのデータに基づいてグリッドＧ１〜Ｇ１２及びアノード電極群Ａ１〜Ａ１２へ供給する駆動電圧の生成、その駆動電圧の供給・供給停止等を制御する制御部である。
グリッド駆動電圧波形生成部４１１〜４１１２は、ＣＰＵ３１から送られて来るグリッド駆動データに基づいてグリッドＧ１〜Ｇ１２に対応するパルス状のグリッド駆動電圧（グリッド駆動電圧波形）を生成する。そのグリッド駆動電圧は、ＡＮＤ回路４２１〜４２１２を介してグリッドドライバ４３１〜４３１２へ供給される。グリッドドライバ４３１〜４３１２は、グリッド配線ｇ１〜ｇ１２を介してグリッドＧ１〜Ｇ１２へパルス状のグリッド駆動電圧を印加する。
【００１４】
アノード駆動電圧波形生成部４４１〜４４８は、ＣＰＵ３１から送られて来る表示データに基づいて、アノード電極群Ａ１〜Ａ１２の各アノード電極（セグメント）に対応するパルス状のアノード駆動電圧（アノード駆動電圧波形）を生成する。そのアノード駆動電圧は、ＮＡＮＤ回路４５１〜４５１２と、アノードドライバ４６１〜４６８へ供給される。アノードドライバ４６１〜４６８は、アノード配線Ｓ１〜Ｓ８を介してセグメント電極Ｓｅ１〜Ｓｅ７，ＲＥＣ，ＵＳＲ，ＭＰ３，２個の矢印，コロン等のアノード電極へパルス状のアノード駆動電圧を印加する。
【００１５】
ＮＡＮＤ回路４５１〜４５１２には、アノード駆動電圧の他に、省電力設定レジスタ４０からパルス状の省電力設定電圧が供給される。省電力設定部（省電力設定レジスタ）４０は、ＣＰＵ３１から送られて来る省電力設定データに基づいて、省電力設定（１）、又は非省電力設定（０）を表すパルス状の省電力設定電圧（省電力設定電圧波形）を生成する。省電力の設定、非設定は、入力装置３２によって行う。
省電力レジスタ４０に省電力設定をしてあるとき、アノード駆動電圧波形生成部４４１〜４４８の出力が全て「０」になると、ＮＡＮＤ回路４５１〜４５１２の出力は「１」になるから、ＡＮＤ回路４２１〜４２１２は開いて、グリッド駆動電圧波形生成部４１１〜４１１２のグリッド駆動電圧をグリッドドライバ４３１〜４３１２へ供給する。グリッドドライバ４３１〜４３１２は、グリッドＧ１〜Ｇ１２へグリッド駆動電圧を印加する。アノード駆動電圧波形生成部４４１〜４４８の出力が全て又は一部「１」になると、ＮＡＮＤ回路４５１〜４５１２の出力は「０」になるから、ＡＮＤ回路４２１〜４２１２は閉じて、グリッド駆動電圧のグリッドドライバ４３１〜４３１２への供給を停止する。
【００１６】
次に図３により具体的表示例について説明する。
図３は、省電力設定をしないとき（非省電力設定モード）の駆動例で、図３（ａ）は表示例を、図３（ｂ）はグリッド駆動電圧のタイミングチャートを、図３（ｃ）はアノード駆動電圧のタイミングチャートを示す。
図３（ａ）は、「ＲＥＣ」、「１３：６７」を表示する例で、１２桁のアノード電極群の内、Ｋ１桁、Ｋ３〜Ｋ６桁、即ち１桁目と３〜６桁目のアノード電極群を使って表示する。この表示例の場合、Ｋ１桁、Ｋ３〜Ｋ６桁のアノード電極群は、表示に使用するが、Ｋ２桁、Ｋ７〜Ｋ１２桁のアノード電極群は、表示に使用しない。
図３（ａ）の表示を非省電力設定モードで駆動すると、図２のグリッド配線ｇ１〜ｇ１２には、図３（ｂ）のように、タイミングＴ１，Ｔ２，・・・，Ｔ１２においてパルス状のグリッド駆動電圧が供給される。一方アノード配線Ｓ１〜Ｓ８には、図３（ｃ）のように、タイミングＴ１，Ｔ３，Ｔ４，Ｔ５，Ｔ６においてパルス状のアノード駆動電圧が供給される。したがって非省電力設定モードで駆動する場合には、表示に使用しないＫ２桁、Ｋ７〜Ｋ１２桁のグリッドにも駆動電圧が印加される。
【００１７】
図４は、図３と同じ表示例について、省電力設定したとき（省電力設定モード）のグリッドとアノードの駆動電圧のタイミングチャートを示す。
省電力設定モードの場合、グリッド駆動電圧は、図４（ｂ）のようにタイミングＴ１、Ｔ３、Ｔ４、Ｔ５、Ｔ６においてグリッド配線ｇ１，ｇ３，ｇ４，ｇ５，ｇ６に供給されが、他のグリッド配線には供給されない。一方アノード駆動電圧は、図４（ｃ）のようにタイミングＴ１，Ｔ３，Ｔ４，Ｔ５，Ｔ６においてアノード配線Ｓ１〜Ｓ８に供給される（図３（ｃ）と同じ）。
【００１８】
図５は、図２のＮＡＮＤ回路４５１〜４５１２とＡＮＤ回路４２１〜４２１２の動作を説明する図で、ＮＡＮＤ回路４５２とＡＮＤ回路４２２を例示してある。図５（ａ）は、回路図、図５（ｂ）は、ＮＡＮＤ回路４５２の入力と出力の関係を示す真理値表である。
ＮＡＮＤ回路４５２には、前記のように、省電力設定レジスタ４０から省電力設定電圧が供給され、アノード駆動電圧波形生成部４４１〜４４７からアノード駆動電圧が供給される。省電力設定レジスタ４０の出力は、そのまま直接ＮＡＮＤ回路４５２に入力し、アノード駆動電圧波形生成部４４１〜４４７の出力は、インバートして（ＮＯＴ回路を介して）ＮＡＮＤ回路４５２に入力する。
【００１９】
図５（ｂ）において、省電力設定レジスタ４０の出力は、そのレジスタ４０に省電力が設定されているとき「１」、設定されていないとき（非省電力設定のとき）「０」になる。アノード駆動電圧波形生成部４４１〜４４７の出力は、出力があるとき（アノード駆動電圧があるとき）「１」、ないとき「０」になる。
図５（ｂ）において、ＮＡＮＤ回路４５２の出力Ｘ５２が「０」になると（イ３の場合）、ＡＮＤ回路４２２の出力Ｘ２２は、「０」になる。したがって（イ３）の場合、グリッド駆動電圧波形生成部４１２の出力（グリッド駆動電圧）は、グリッドドライバ４３２へ供給されない。即ちグリッドＧ２には、グリッド駆動電圧が印加されない。なお（イ３）の例は、図４（ａ）のＫ２桁の状態（非表示の状態）に相当する。（イ３）以外の（イ１）、（イ２）、（ロ１）〜（ロ３）の場合、ＮＡＮＤ回路４５２の出力Ｘ５２は、「１」になるから、グリッド駆動電圧波形生成部４１２の出力（グリッド駆動電圧）は、グリッドドライバ４３２へ供給される。即ちグリッドＧ２にグリッド駆動電圧が印加される。
【００２０】
以上のように省電力設定してあるとき（省電力設定モードのとき）には、グリッド駆動電圧波形生成部４１２の出力が全て「０」になると、グリッドＧ２にグリッド駆動電圧は印加されない。そしてグリッド駆動電圧波形生成部４１２の出力が一つでも「１」のときには、グリッドＧ２にグリッド駆動電圧が印加される。
図５は、ＮＡＮＤ回路４５２とＡＮＤ４２２の例であるが、他のＮＡＮＤ回路とＡＮＤ回路についても同じである。なお図２のＮＡＮＤ回路４５５は、アノード駆動電圧波形生成部４４８から「コロン」に関する駆動電圧が供給されるから、その点が他のＮＡＮＤ回路と相違しているが、動作は、他のＮＡＮＤ回路と同じである。
【００２１】
図５のＮＡＮＤ回路４５２は、省電力設定レジスタ（省電力設定部）４０の出力（省電力設定電圧）とアノード駆動電圧波形生成部４４１〜４４７の出力（アノード駆動電圧）の有無を検出し、省電力設定時にアノード駆動電圧の全て「０」を検出する回路であるから、その検出が可能な回路であれば、ＮＡＮＤ回路でなくてもよい。そこで本願は、その検出が可能な回路をアノード駆動電圧検出回路と呼ぶ。
またＡＮＤ回路４２２は、ＮＡＮＤ回路４５２の出力が「１」のとき開いてグリッドＧ２へグリッド駆動電圧を供給し、ＮＡＮＤ回路４５２の出力が「０」のとき閉じてグリッドＧ２へのグリッド駆動電圧の供給を停止する回路であるから、グリッドへグリッド駆動電圧の供給・供給停止ができる回路であれば、ＡＮＤ回路でなくてもよい。そこで本願は、グリッドへグリッド駆動電圧の供給・供給停止が可能な回路をグリッド駆動電圧供給回路と呼ぶ。
なおＮＡＮＤ回路４５２へ供給するアノード駆動電圧は、そのアノード駆動電圧に対応する表示データであってもよい。
【００２２】
本実施例は、図４の表示例の場合、省電力設定を行うだけで（省電力設定レジスタ４０に「１」を設定するだけで）、自動的にＫ２桁、Ｋ７〜Ｋ１２桁のグリッドへのグリッド駆動電圧の供給を停止できるから、従来のように事前にＫ２桁、Ｋ７〜Ｋ１２桁のグリッド駆動電圧の供給停止を設定する必要がない。また表示の内容により、或る桁、例えばＫ７，Ｋ８桁を短期間だけ表示する場合もあるが、その場合、本実施例は、短期間だけＮＡＮＤ回路４５７，４５８の出力が「１」に変わり、ＡＮＤ回路４２７，４２８の出力も「１」に変わって、グリッドドライバ４３７，４３８にグリッド駆動電圧を供給するが、その短期間以外の期間にＫ７桁、Ｋ８桁のグリッドにグリッド駆動電圧を供給することはないから、省電力効果が大きくなる。また本実施例は、事前に表示内容を検討してＫ７，Ｋ８桁を表示する期間があるか否かを確認する必要がないから、省電力の設定作業が簡単になり、かつ検討を誤ってＫ７，Ｋ８桁の表示を欠落させてしまうこともない。
【００２３】
本実施例は、常時表示に使用するような表示頻度の高い桁、短期間だけ表示に使用するような表示頻度の小さい桁、表示に使用しない桁等が混在する表示内容であっても、アノード駆動電圧の有無を自動的に判別して、アノード駆動電圧が全て０の場合には、該当する桁のグリッドのグリッド駆動電圧の供給を停止し、アノード駆動電圧が一つでも０でない場合（「１」が含まれる場合）には、該当する桁のグリッドにグリッド駆動電圧を供給する。したがって本実施例は、表示内容に関係なくアノード駆動電圧の有無を自動的に判別して、グリッドへのグリッド駆動電圧の供給、供給停止を自動的に行うから、省電力設定が容易になり、汎用性の高い省電力設定が可能になる。
【００２４】
蛍光表示管の駆動回路は、一般にＩＣ化されていて、そのＩＣは、蛍光表示管の真空容器（気密容器）の内部に取付ける場合と、真空容器の外部の基板等に取付ける場合とがある。いずれの場合も、駆動回路或いは駆動回路ＩＣを備えた蛍光表示管と呼ばれている。図２の制御部３３もＩＣ化して、そのＩＣを蛍光表示管の真空容器（気密容器）の内部に取付ける場合と、真空容器の外部の基板等に取付ける場合とがある。
図６は、制御部３３のＩＣを真空容器（気密容器）の内部に取付けた蛍光表示管の例である。
真空容器は、ガラスのアノード基板５１、アノード基板５１に対向する基板５２と側面部材５３からなり、アノード基板５１には、アノード電極群Ａ（図１のＡ１〜Ａ１２に相当）を形成し、グリッドＧ（図１のＧ１〜Ｇ１２に相当）、フィラメントＦ等を取付けてある。またアノード基板５１には、図２の制御部３３のＩＣ６０をダイボンデイングペースト等によって固定してある。ＩＣ６０は、配線６２によって外部端子６１等に接続され、配線６３（図２のグリッド配線ｇ１〜ｇ１２、アノード配線Ｓ１〜Ｓ８に相当）によってアノード電極群Ａ、グリッドＧに接続されている。
図６の蛍光表示管は、省電力設定が可能な制御部３３のＩＣを備えているから、無駄な電力を低減できる。
【図面の簡単な説明】
【００２５】
【図１】本発明の実施例に係る蛍光表示管のアノード電極群とグリッドの配置、それらに接続されている配線を示す。
【図２】本願発明の実施例に係る蛍光表示管の駆動回路を示す。
【図３】図１の蛍光表示管の表示例、その表示例に対応する非省電力設定時のグリッド駆動電圧とアノード駆動電圧のタイミングチャートを示す。
【図４】図１の蛍光表示管の表示例、その表示例に対応する省電力設定時のグリッド駆動電圧とアノード駆動電圧のタイミングチャートを示す。
【図５】図２の蛍光表示管の駆動回路のＮＡＮＤ回路の動作を説明する図である。
【図６】図２の制御部のＩＣを内蔵した蛍光表示管を示す。
【図７】従来の蛍光表示管の駆動回路、アノード電極群とグリッドの配置、それらの構成を示す。
【図８】従来の蛍光表示管のグリッド駆動電圧とアノード駆動電圧のタイミングチャートを示す。
【符号の説明】
【００２６】
３１    ＣＰＵ
３２    入力装置
３３    制御部
４０    省電力設定レジスタ（省電力設定部）
４１１〜４１１２    グリッド駆動電圧波形生成部
４２１〜４２１２    ＡＮＤ回路
４３１〜４３１２    グリッドドライバ
４４１〜４４８    アノード駆動電圧波形生成部
４５１〜４５１２    ＮＡＮＤ回路
４６１〜４６８    アノードドライバ
Ａ１〜Ａ１２    アノード電極群
Ｆ    フィラメント
Ｇ１〜Ｇ１２    メッシュ状のグリッド
Ｋ１〜Ｋ１２    表示の桁数
Ｓｅ１〜Ｓｅ７    アノード電極群のセグメント
【図１】
2009258188.tif 000003
【図２】
2009258188.tif 000004
【図３】
2009258188.tif 000005
【図４】
2009258188.tif 000006
【図５】
2009258188.tif 000007
【図６】
2009258188.tif 000008
【図７】
2009258188.tif 000009
【図８】
2009258188.tif 000010